(57)【要約】      （修正有）【課題】ヘルメットの内部のデザインにユーザの好みを反映することが難しい、という問題を解決することができる頬当て用カバーを提供する。【解決手段】頬当て用カバー１は、ヘルメットに設けられた頬当てに装着される。頬当て用カバー１は、カバー本体１１を有しており、当該カバー本体１１の所定位置には貫通孔１２が設けられている。カバー本体１１は開口部１３を有する袋状の形状をしており、開口部１３を形成するカバー本体１１の端部には、開口部１３の周辺に沿って縫い目１４が設けられている。本実施形態においては、ヘルメットに設けられた頬当てを開口部１３から袋状のカバー本体１１の内部に挿入することで、頬当て用カバー１をヘルメットに装着することになる。【選択図】図４
0003194009.tif 000002
【実用新案登録請求の範囲】
【請求項１】
ヘルメットの内部に設けられた頬当ての表面を覆う袋状のカバー本体を有し、
前記カバー本体には、前記頬当てに設けられたあご紐が挿通する貫通孔が設けられている、
頬当て用カバー。
【請求項２】
請求項１に記載の頬当て用カバーであって、
前記袋状のカバー本体は、当該袋状のカバー本体に前記頬当てを挿入する開口部を有しており、
前記開口部は、当該開口部の周囲の長さが伸縮することにより当該開口部の広さが可変するよう形成されている、
頬当て用カバー。
【考案の詳細な説明】
【技術分野】
【０００１】
本考案は、ヘルメットの頬当てを覆う頬当て用カバーに関する。
【背景技術】
【０００２】
自動二輪車を運転する際には、ヘルメットの着用が義務付けられている。そのため、自動二輪車の運転者は、ヘルメットを着用した上で自動二輪車を運転することになる。
【０００３】
このようなヘルメットに関する技術としては、例えば、特許文献１や特許文献２がある。特許文献１には、フルフェースタイプのヘルメットにおいて、頬パッドを構成するクッション部材とベース部材との間に案内路を形成する技術が記載されている。特許文献１によると、このような構成により、顎ガード部で反射する吐息を外部へと排出することが可能となる。その結果、装着者の吐息がヘルメット内に滞留することを防ぐことが出来る。
【０００４】
また、特許文献２には、頬パッド着脱可能とし、かつ、頬パッドの取付け位置を任意で変更可能な保持手段を有し、頬パッドと顎バンドとが係合一体化されるヘルメットが記載されている。特許文献２によると、このような構成により、頬パッドの位置を装着者に最適な位置に変更することが可能となる。
【先行技術文献】
【特許文献】
【０００５】
【特許文献１】特開２０００−０１７５１４号公報
【特許文献２】特開２００２−１３８３１９号公報
【考案の概要】
【考案が解決しようとする課題】
【０００６】
ところで、上記のようなヘルメットは、当該ヘルメットの外側表面に様々な色や模様がデザインされている。このように様々な色や模様がデザインされたヘルメットが用意されていることで、ユーザは、好みの外見を有するヘルメットを選んで着用することが出来ることになる。
【０００７】
一方で、ヘルメットの内部は、例えば黒色などの単色で構成されていることが多く、ユーザの好みを反映する余地がないことが多い。特に、頬当てに相当する部分はヘルメットを脱いだ際などに非常に目立つ部分である。しかしながら、そのような部分に対してもユーザの好みを反映することは難しかった。
【０００８】
このように、ヘルメットには、当該ヘルメットの内部のデザインにユーザの好みを反映することが難しい、という問題が生じていた。
【０００９】
そこで、本考案の目的は、上述した課題である、ヘルメットの内部のデザインにユーザの好みを反映することが難しい、という問題を解決することができる頬当て用カバーを提供することにある。
【課題を解決するための手段】
【００１０】
本考案の一形態である頬当て用カバーは、
ヘルメットの内部に設けられた頬当ての表面を覆う袋状のカバー本体を有し、
前記カバー本体には、前記頬当てに設けられたあご紐が挿通する貫通孔が設けられている、
という構成を採る。
【００１１】
上記考案によると、頬当て用カバーは、ヘルメットの内部に設けられた頬当ての表面を覆う袋状のカバー本体を有している。また、カバー本体には、頬当てに設けられたあご紐が挿通する貫通孔が設けられている。このような構成により、頬当て用カバーは、袋状のカバー本体で頬当ての表面を覆うことが出来る。また、頬当て用カバーは、上記のようにカバー本体で頬当ての表面を覆った際に、頬当てに設けられているあご紐を、貫通孔を介して外部へと排出することが出来る。その結果、ヘルメットを使用可能な状態で、当該ヘルメットの内部に設けられた頬当てに頬当て用カバーを装着することが出来る。
【００１２】
ここで、上記頬当て用カバーのカバー本体の表面には、様々な色や模様をデザインすることが出来る。そのため、上記のように頬当て用カバーをヘルメットの頬当てに装着することで、ヘルメットの頬当てを様々な色や模様がデザインされたカバー本体で覆うことが可能となる。その結果、ヘルメットの内部のデザインにユーザの好みを反映することが可能となる。
【００１３】
また、
前記袋状のカバー本体は、当該袋状のカバー本体に前記頬当てを挿入する開口部を有しており、
前記開口部は、当該開口部の周囲の長さが伸縮することにより当該開口部の広さが可変するよう形成されている、
という構成を採ることが出来る。
【００１４】
上記考案によると、袋状のカバー本体は、装着することになるヘルメットの頬当てを挿入する開口部を有している。また、上記開口部は、当該開口部の周囲の長さが伸縮することにより当該開口部の広さが可変するよう形成されている。このような構成により、開口部を開いた状態で袋状のカバー本体の内部に頬当てを挿入し、当該カバー本体の内部に頬当てを挿入した状態で開口部を狭くすることで、頬当て用カバーを頬当てに装着することが可能となる。その結果、頬当て用カバーを容易な方法で頬当てに装着することが可能となる。つまり、容易な方法でヘルメットの内部のデザインにユーザの好みを反映することが可能となる。
【考案の効果】
【００１５】
本考案は、以上のように構成されることにより、ヘルメットの内部のデザインにユーザの好みを反映することが出来る。
【図面の簡単な説明】
【００１６】
【図１】頬当て用カバーを装着することになるヘルメットの構成の一例を示す図である。
【図２】頬当て用カバーの構成の一例を示す平面図である。
【図３】頬当て用カバーの構成の一例を示す正面図である。
【図４】頬当て用カバーの構成の一例を示す底面図である。
【図５】頬当て用カバーをヘルメットに装着した際の構成の一例を示す図である。
【考案を実施するための形態】
【００１７】
＜実施形態１＞
本考案の第１の実施形態を、図１乃至図５を参照して説明する。図１は、本実施形態における頬当て用カバー１を装着する対象となるヘルメット２の構成の一例を示す図である。図２は、本実施形態における頬当て用カバー１の構成の一例を示す平面図である。図３は、頬当て用カバー１の構成の一例を示す正面図である。図４は、頬当て用カバー１の構成の一例を示す底面図である。図５は、頬当て用カバー１をヘルメット２に装着した際の構成の一例を示す図である。
【００１８】
本実施形態においては、ヘルメット２の内部に設けられた頬当て２１に装着する頬当て用カバー１について説明する。後述するように、本実施形態における頬当て用カバー１（カバー本体１１）には、様々な色や模様がデザインされている。そのため、頬当て２１にユーザの好みのデザインが施された頬当て用カバー１を装着することで、ヘルメット１の内部のデザインにユーザの好みを反映することが出来る。
【００１９】
図１は、本実施形態における頬当て用カバー１を装着することになるヘルメット２を示している。図１で示すように、本実施形態におけるヘルメット２は、一対の頬当て２１と、当該頬当て２１のそれぞれに設けられたあご紐２２と、を有する一般的なジェット型のヘルメットである。
【００２０】
なお、本実施形態においては、頬当て用カバー１を装着する対象であるヘルメット２の一例として、ジェット型のヘルメットを挙げる。しかしながら、頬当て用カバー１は、ジェット型のヘルメット以外に装着させても構わない。頬当て用カバー１を装着するヘルメット２は、例えば、フルフェイス型のヘルメットやシステム型のヘルメット、ハーフ型のヘルメットなどであっても構わない。
【００２１】
頬当て用カバー１は、上記のように、ヘルメット２に設けられた頬当て２１に装着される。図２を参照すると、頬当て用カバー１は、カバー本体１１を有しており、当該カバー本体１１の所定位置には貫通孔１２が設けられている。また、図３、４で示すように、カバー本体１１は開口部１３を有する袋状の形状をしており、開口部１３を形成するカバー本体１１の端部には、開口部１３の周辺に沿って縫い目１４が設けられている。本実施形態においては、ヘルメット２に設けられた頬当て２１を開口部１３から袋状のカバー本体１１の内部に挿入することで、頬当て用カバー１をヘルメット２に装着することになる。
【００２２】
カバー本体１１は、例えば布製である。また、カバー本体１１の表面には、図示しない様々な色や模様がデザインされている。
【００２３】
上記のように、カバー本体１１は、開口部１３を有する袋状の形状をしている（図３、４参照）。また、開口部１３を形成するカバー本体１１の端部は、例えば、内側に折りこんだ上で縫い付けられている（縫い目１４が設けられている）。これにより、カバー本体１１の端部には、開口部１３の周囲に沿うように、図示しない筒状部が設けられていることになる。
【００２４】
なお、本実施形態においては、カバー本体１１は例えば布製であるとする。しかしながら、カバー本体１１は、必ずしも布製である場合に限られない。カバー本体１１は、例えば、革製やプラスチック製など、布製以外であっても構わない。
【００２５】
貫通孔１２は、上記のように、カバー本体１１の所定位置に設けられた、当該カバー本体１１を貫通する孔である。貫通孔１２は、例えば、長方形など、装着の対象となるヘルメット２に設けられたあご紐２２の形に応じた形状をしている。貫通孔１２をカバー本体１１に設けることで、カバー本体１１の内部に頬当て２１を挿入した際に、当該頬当て２１に設けられたあご紐２２を、カバー本体１１の内部から外部へと貫通孔１２を介して排出することが出来る。
【００２６】
このように、貫通孔１２は、カバー本体１１の内部に頬当て２１を挿入した際に、あご紐２２をカバー本体１１の内部から外部へと排出する機能を有している。そのため、貫通孔１２は、カバー本体１１のうち、カバー本体１１の内部に頬当て２１を挿入した際に、あご紐２２が位置することになる位置である所定の位置に設けられることが望ましい。例えば、図２を参照すると、貫通孔１２は、カバー本体１１の下側（頬当て用カバー１を頬当て２１に装着した際にあご側になる側）中央付近に設けられている。
【００２７】
開口部１３は、袋状のカバー本体１１の一方に設けられた開口部分であり、装着する対象となる頬当て２１の形状に応じた形状をするように調整されている。具体的には、例えば、略楕円形の頬当て２１に装着する頬当て用カバー１の開口部１３は、図４で示すような略楕円形状の形状をするように調整される。このように、開口部１３は、装着する対象となる頬当て２１の形状に応じた、頬当て２１をカバー本体１１の内部へと挿入する際に必要となる形状をするように調整されている。開口部１３をこのように調整することで、開口部１３を介して、頬当て２１をカバー本体１１に挿入することが出来ることになる。なお、開口部１３の形状は、カバー本体１１の形状を調整することにより調整されることになる。
【００２８】
縫い目１４は、開口部１３を形成するカバー本体１１の端部に、開口部１３に沿うように設けられている。上述したように、カバー本体１１の端部は、当該端部をカバー本体１１の内側に折り返した上で縫い付けられている。これにより、例えば図４で示すように、カバー本体１１の端部には、開口部１３に沿うように、略楕円形状の縫い目１４が設けられている。
【００２９】
また、上記のように、縫い目１４は、カバー本体１１の端部を折り返して縫い付けることで設けられている。そのため、開口部１３を形成するカバー本体１１の端部には、折り返したカバー本体１１と縫い目１４とにより形成される図示しない筒状部が設けられていることになる。また、本実施形態における筒状部には、伸縮する素材により形成されるゴム紐などの紐材が挿入されている。具体的には、開口部１３の周囲に設けられた筒状部の内部には、例えば、縮んだ状態において筒状部の外周の長さ（開口部１３の周囲の長さ）よりも短い長さを有し、伸びた状態で頬当て２１をカバー本体１１の内部に挿入する際に必要となる長さよりも長くなる紐材が挿入されている。これにより、開口部１３は、当該開口部１３の周囲に設けられた筒状部（カバー本体１１）内に挿入された紐材によりすぼむことになる。つまり、開口部１３の周囲の長さが紐材により縮むことになり、その結果、開口部１３の広さが狭くなることになる。また、すぼんだ状態から開口部１３を引っ張ることで、紐材の長さを一時的にのばすことになる。その結果、開口部１３の周囲の長さを一時的に伸ばすことが出来る。つまり、紐材の長さを一時的に伸ばすことで、開口部１３の広さを一時的に広げることが出来る。
【００３０】
このように、筒状部の内部には、伸縮する素材により形成される紐材が挿入されている。このような構成により、開口部１３を一時的に広げた状態で頬当て２１をカバー本体１１の内部に挿入し、開口部１３がすぼむ（開口部１３の広さが狭くなる）ことによりカバー本体１１を頬当て２１に容易に装着することが可能となる。
【００３１】
以上が、頬当て用カバー１の構成の一例である。このような頬当て用カバー１は、例えば、略楕円形や角を丸くした角丸の四角形の形状をした一枚の布地を用いて形成することが出来る。例えば、上記布地に貫通孔１２を形成する。また、上記布地の周囲を折り曲げて縫うことにより筒状部を形成する。次に、筒状部に伸縮する紐材を挿入することで周囲の筒状部をすぼめて開口部１３を形成する。これにより、カバー本体１１が開口部１３を有する袋状に形成されることになる。つまり、袋状のカバー本体１１を有し、当該カバー本体１１に貫通孔１２が形成されている頬当て用カバー１を形成することが出来る。例えば、以上のようにして、頬当て用カバー１は形成することが出来る。なお、上記以外の方法により頬当て用カバー１は形成されても構わない。
【００３２】
図５は、本実施形態における頬当て用カバー１を頬当て２１に装着した際の構成の一例を示している。図５を参照すると、頬当て用カバー１のカバー本体１１は、頬当て２１の表面を覆っており、頬当て２１に装着されている。また、カバー本体１１に設けられた貫通孔１２を介して、あご紐２２がカバー本体１１の内部から外部へと排出されている。これにより、ヘルメット２を使用可能な状態で、当該ヘルメット２の内部に設けられた頬当て２１に頬当て用カバー１を装着することが出来る。つまり、頬当て用カバー１をヘルメット２に装着した状態のままで、ユーザはヘルメット２を着用することが出来ることが分かる。
【００３３】
なお、図５においては、左右の頬当て２１の両方に頬当て用カバー１を装着した場合について示している。しかしながら、頬当て用カバー１は、ヘルメット２の左右に設けられた頬当て２１のどちらかのみに装着されても構わない。また、左右で異なるデザインの頬当て用カバー１を装着しても構わない。
【００３４】
このように、本実施形態における頬当て用カバー１は、袋状のカバー本体１１を有しており、当該カバー本体１１には貫通孔１２が設けられている。このような構成により、袋状のカバー本体１１によりヘルメットに設けられた頬当て２１を覆うことが出来る。また、上記のようにカバー本体１１により頬当て２１を覆った状態で、貫通孔１２を介してあご紐２２をカバー本体１１の内部から外部へと排出することが出来る。その結果、頬当て用カバー１を頬当て２１に装着した状態で、ユーザがヘルメット２を着用することが可能となる。ここで、頬当て用カバー１（カバー本体１１）の表面は、ユーザの好みにあったデザインにすることが出来る。そのため、上記のように構成することで、頬当て２１がユーザの好みに合うデザインの頬当て用カバー１により覆われることとなり、ヘルメット２の内部のデザインにユーザの好みを反映することが可能となる。
【００３５】
また、頬当て用カバー１は、開口部１３を有する袋状の形状をしており、開口部１３の周囲に形成された筒状部内には、図示しない紐材が挿入されている。例えばこのように構成することで、開口部１３の周囲の長さを伸縮可能とすることが出来、また、開口部１３の広さを可変するように構成することが出来る。その結果、開口部１３を広げた状態で頬当て２１をカバー本体１１の内部に挿入し、開口部１３がすぼむことによりカバー本体１１を頬当て２１に装着することが可能となる。つまり、容易に頬当て用カバー１を頬当て２１に装着することが可能となり、容易にヘルメット２の内部のデザインにユーザの好みを反映することが可能となる。
【００３６】
なお、本実施形態においては、開口部１３の周囲に形成される筒状部の内部に伸縮する紐材を挿入するとした。しかしながら、筒状部には、あまり伸縮しない紐材を挿入しても構わない。つまり、筒状部の内部には、木綿の紐などのあまり伸縮しない紐材が挿入されていても構わない。また、カバー本体１１は、袋状部や縫い目１４を有していなくても構わない。
【００３７】
また、頬当て用カバー１（カバー本体１１）は、例えば、単色で形成されていたり、複数の色を有していたり、様々な模様を有していたり、など、様々なデザインを施すことが可能である。つまり、頬当て用カバー１（カバー本体１１）には、ユーザの好みに合うような様々なデザインを施すことが出来る。
【００３８】
また、頬当て用カバー１は、ヘルメット２の内装にユーザの好みを反映するだけでなく、例えば、頬当て２１の大きさの微調整などにも用いることも出来る。
【００３９】
＜付記＞
上記実施形態の一部又は全部は、以下の付記のようにも記載されうる。以下、本考案における頬当て用カバーの概略を説明する。但し、本発明は、以下の構成に限定されない。
【００４０】
（付記１）
ヘルメットの内部に設けられた頬当ての表面を覆う袋状のカバー本体を有し、
前記カバー本体には、前記頬当てに設けられたあご紐が挿通する貫通孔が設けられている、
頬当て用カバー。
【００４１】
（付記２）
付記１に記載の頬当て用カバーであって、
前記袋状のカバー本体は、当該袋状のカバー本体に前記頬当てを挿入する開口部を有しており、
前記開口部は、当該開口部の周囲の長さが伸縮することにより当該開口部の広さが可変するよう形成されている、
頬当て用カバー。
【００４２】
以上、上記実施形態を参照して本願考案を説明したが、本願考案は、上述した実施形態に限定されるものではない。本願考案の構成や詳細には、本願考案の範囲内で当業者が理解しうる様々な変更をすることができる。
【符号の説明】
【００４３】
１  頬当て用カバー
１１  カバー本体
１２  貫通孔
１３  開口部
１４  縫い目
２  ヘルメット
２１  頬当て
２２  あご紐
【図１】
0003194009.tif 000003
【図２】
0003194009.tif 000004
【図３】
0003194009.tif 000005
【図４】
0003194009.tif 000006
【図５】
0003194009.tif 000007